(57)【要約】【課題】動画の撮影中であっても、所望の遷移効果を容易に付加することができる撮像装置、外部装置、撮像システム、撮像方法、操作方法およびプログラムを提供する。【解決手段】少なくともピント位置を調整するピント調整機能および画角を変更する画角変更機能を有し、被写体を連続的に撮像して動画データを生成する第１撮像部１１と、動画撮影前または動画撮影中に、外部から受信した第１撮像部１１の撮影パラメータにおける時間に沿って変化する切り換えを指示する撮影パラメータ制御情報に基づいて、動画撮影時に撮影パラメータを時間に沿って変化する撮影パラメータ切換制御を行いながら第１撮像部１１に動画撮影を実行させる撮影制御部１８ａとを備える。【選択図】図１
2018152787.tif 000002
【特許請求の範囲】
【請求項１】
少なくともピント位置を調整するピント調整機能および画角を変更する画角変更機能を有し、被写体を連続的に撮像して動画データを生成する撮像部と、
動画撮影前または動画撮影中に、外部から受信した前記撮像部の撮影パラメータにおける時間に沿って変化する切り換えを指示する撮影パラメータ制御情報に基づいて、動画撮影時に前記撮影パラメータを時間に沿って変化する撮影パラメータ切換制御を行いながら前記撮像部に動画撮影を実行させる撮影制御部と、
を備えることを特徴とする撮像装置。
【請求項２】
前記撮影パラメータ制御情報は、少なくとも前記撮影パラメータ切換制御の開始から終了までの遷移期間における切り換え前後の前記撮影パラメータと、前記撮影パラメータ切換制御の開始から終了までの遷移期間の時間を示す遷移時間と、前記撮影パラメータの時間的な変化を示す変化パターンと、を含むことを特徴とする請求項１に記載の撮像装置。
【請求項３】
前記撮影パラメータは、少なくとも前記遷移期間の開始時および終了時の各々の前記撮像部のピント位置を指定するピント位置情報および前記遷移期間の開始時および終了時の各々の前記撮像部の画角を指定する画角情報のいずれか一方を含むことを特徴とする請求項２に記載の撮像装置。
【請求項４】
前記撮影パラメータは、少なくとも前記遷移期間の終了時の前記撮像部のピント位置を指定するピント位置情報および前記遷移期間の終了時の前記撮像部の画角を指定する画角情報のいずれか一方を含むことを特徴とする請求項２に記載の撮像装置。
【請求項５】
前記変化パターンは、少なくとも前記ピント位置情報および前記画角情報のいずれか一方と、前記遷移時間とによって決定されることを特徴とする請求項３または４に記載の撮像装置。
【請求項６】
前記撮影制御部は、外部から前記撮影パラメータ切換制御を指示する指示信号が入力された場合、前記撮影パラメータ切換制御を開始することを特徴とする請求項１〜５のいずれか１つに記載の撮像装置。
【請求項７】
前記撮影パラメータ制御情報は、前記撮影パラメータ切換制御を開始するための開始条件をさらに含むことを特徴とする請求項１〜６のいずれか１つに記載の撮像装置。
【請求項８】
前記開始条件に基づいて、前記撮影パラメータ切換制御の開始タイミングであるか否かを判定する判定部をさらに備え、
前記撮影制御部は、前記判定部が前記開始タイミングであると判定した場合、前記撮影パラメータ切換制御を開始することを特徴とする請求項７に記載の撮像装置。
【請求項９】
前記開始条件は、前記動画データに対応する動画の変化量に対する閾値であり、
前記判定部は、前記動画データの変化量が前記閾値を超えた場合、前記開始タイミングであると判定することを特徴とする請求項８に記載の撮像装置。
【請求項１０】
音声情報を取得し、取得した音声情報の音声データを生成する音声取得部をさらに備え、
前記開始条件は、前記音声データの音量に対する閾値であり、
前記判定部は、前記音声データの音量が前記閾値を超えた場合、前記開始タイミングであると判定することを特徴とする請求項８に記載の撮像装置。
【請求項１１】
前記開始条件は、前記撮影パラメータ制御情報を送信する外部装置の姿勢状態であり、
前記判定部は、前記外部装置から順次送信される前記外部装置の姿勢を示す姿勢情報が予め設定された姿勢状態となった場合、前記開始タイミングであると判定することを特徴とする請求項８に記載の撮像装置。
【請求項１２】
外部から動画撮影時のアドバイス情報を受信した場合、該アドバイス情報を表示する表示部をさらに備えることを特徴とする請求項１〜１１のいずれか１つに記載の撮像装置。
【請求項１３】
前記アドバイス情報は、前記撮像部の最大画角で撮影することができる被写体、動画撮影時の露出値、絞り値およびホワイトバランスのいずれか１つ以上であることを特徴とする請求項１２に記載の撮像装置。
【請求項１４】
前記動画データを外部へ送信するとともに、前記撮影パラメータ制御情報を受信する通信部をさらに備えることを特徴とする請求項１〜１３のいずれか１つに記載の撮像装置。
【請求項１５】
少なくともピント位置を調整するピント調整機能および画角を変更する画角変更機能を有し、被写体を連続的に撮像して動画データを生成する撮像装置と双方向に通信する外部装置であって、
前記撮像装置の動画撮影前または動画撮影中に、前記撮像装置の撮影パラメータにおける時間に沿って変化する切り換えを指示する撮影パラメータ制御情報を設定する設定部と、
前記設定部が設定した前記撮影パラメータ制御情報を前記撮像装置に送信する送信制御部と、
を備えることを特徴とする外部装置。
【請求項１６】
前記撮像装置から送信された前記動画データに対応する動画を表示する表示部と、
前記表示部が表示する前記動画に基づいて、少なくとも、前記撮像装置が行う撮影パラメータ切換制御の開始から終了までの遷移期間における切り換え前後の前記撮影パラメータと、前記撮影パラメータ切換制御の開始から終了までの遷移期間の時間を指定する時間情報と、前記撮影パラメータの時間的な変化を示す変化パターンと、を指定する設定の入力を受け付ける入力部と、
を備え、
前記設定部は、前記入力部が入力を受け付けた設定に応じて、前記撮影パラメータ制御情報を設定することを特徴とする請求項１５に記載の外部装置。
【請求項１７】
前記入力部は、少なくとも前記遷移期間の開始時および終了時の各々の前記撮像装置のピント位置を指定するピント位置情報の入力ならびに前記遷移期間の開始時および終了時の各々の前記撮像装置の画角を指定する画角情報の入力のいずれか一方を受け付け、
前記設定部は、前記入力部が受け付けた少なくとも前記ピント位置情報および前記画角情報のいずれか一方を前記撮影パラメータ制御情報として設定することを特徴とする請求項１６に記載の外部装置。
【請求項１８】
前記入力部は、少なくとも前記遷移期間の終了時の前記撮像装置のピント位置を指定するピント位置情報および前記遷移期間の終了時の前記撮像装置の画角を指定する画角情報のいずれか一方の入力を受け付け、
前記設定部は、前記入力部が受け付けた少なくとも前記ピント位置情報および前記画角情報のいずれか一方を前記撮影パラメータ制御情報として設定することを特徴とする請求項１６に記載の外部装置。
【請求項１９】
少なくともピント位置を調整するピント調整機能および画角を変更する画角変更機能を有し、被写体を連続的に撮像して動画データを生成する撮像部を備える撮像装置と、前記撮像装置と双方向に通信する外部装置と、を備えた撮像システムであって、
前記外部装置は、
前記撮像装置の動画撮影前または動画撮影中に、前記撮像部の撮影パラメータにおける時間に沿って変化する切り換えを指示する撮影パラメータ制御情報を設定する設定部と、
前記設定部が設定した前記撮影パラメータ制御情報を前記撮像装置に送信する送信制御部と、
を備え、
前記撮像装置は、
動画撮影前または動画撮影中に、前記外部装置から受信した前記撮影パラメータ制御情報に基づいて、動画撮影時に前記撮影パラメータを時間に沿って変化する撮影パラメータ切換制御を行いながら前記撮像部に動画撮影を実行させる撮影制御部と、
を備えることを特徴とする撮像システム。
【請求項２０】
少なくともピント位置を調整するピント調整機能および画角を変更する画角変更機能を有し、被写体を連続的に撮像して動画データを生成する撮像部を備える撮像装置が実行する撮像方法であって、
動画撮影前または動画撮影中に、外部から前記撮像部の撮影パラメータにおける時間に沿って変化する切り換えを指示する撮影パラメータ制御情報を受信する受信ステップと、
前記受信ステップにおいて受信した前記撮影パラメータ制御情報に基づいて、動画撮影時に前記撮影パラメータを時間に沿って変化する撮影パラメータ切換制御を行いながら前記撮像部に動画撮影を実行させる撮影制御ステップと、
を含むことを特徴とする撮像方法。
【請求項２１】
少なくともピント位置を調整するピント調整機能および画角を変更する画角変更機能を有し、被写体を連続的に撮像して動画データを生成する撮像装置と双方向に通信する外部装置が実行する操作方法であって、
前記撮像装置の動画撮影前または動画撮影中に、前記撮像装置の撮影パラメータにおける時間に沿って変化する切り換えを指示する撮影パラメータ制御情報を設定する設定ステップと、
前記設定ステップにおいて設定した前記撮影パラメータ制御情報を前記撮像装置に送信する送信制御ステップと、
を含むことを特徴とする操作方法。
【請求項２２】
少なくともピント位置を調整するピント調整機能および画角を変更する画角変更機能を有し、被写体を連続的に撮像して動画データを生成する撮像部を備える撮像装置に、
動画撮影前または動画撮影中に、外部から前記撮像部の撮影パラメータにおける時間に沿って変化する切り換えを指示する撮影パラメータ制御情報を受信する受信ステップと、
前記受信ステップにおいて受信した前記撮影パラメータ制御情報に基づいて、動画撮影時に前記撮影パラメータを時間に沿って変化する撮影パラメータ切換制御を行いながら前記撮像部に動画撮影を実行させる撮影制御ステップと、
を実行させることを特徴とするプログラム。
【請求項２３】
少なくともピント位置を調整するピント調整機能および画角を変更する画角変更機能を有し、被写体を連続的に撮像して動画データを生成する撮像装置と双方向に通信する外部装置に、
前記撮像装置の動画撮影前または動画撮影中に、前記撮像装置の撮影パラメータにおける時間に沿って変化する切り換えを指示する撮影パラメータ制御情報を設定する設定ステップと、
前記設定ステップにおいて設定した前記撮影パラメータ制御情報を前記撮像装置に送信する送信制御ステップと、
を実行させることを特徴とするプログラム。
【発明の詳細な説明】
【技術分野】
【０００１】
本発明は、被写体を連続的に撮像して該被写体の動画データを生成する撮像装置、外部装置、撮像システム、撮像方法、操作方法およびプログラムに関する。
【背景技術】
【０００２】
近年、デジタルカメラ等の撮像装置において、動画撮影の開示時または終了時に自動的にフォーカスによる遷移効果を得ることができる技術が知られている（特許文献１参照）。この技術では、動画撮影の記録開始指示または記録終了指示に応じて、撮影光学系の焦点状態を一旦変更した後に、撮影光学系の焦点状態を変更前の状態に戻すことによって、自動的にフォーカスによる遷移効果を付加する。
【先行技術文献】
【特許文献】
【０００３】
【特許文献１】特開２０１２−１３４８１０号公報
【発明の概要】
【発明が解決しようとする課題】
【０００４】
ところで、ユーザは、動画の撮影中であっても、任意の遷移効果を付加したくなることがある。しかしながら、上述した特許文献１では、動画撮影の開始時または終了時のみでしか、動画の遷移効果を得ることができない。
【０００５】
さらに、ユーザは、動画の撮影中に所望の遷移効果を付加する場合、手動で撮像光学系の焦点状態を変更したり、撮像装置を移動させて撮影領域を変更したりしなければならないため、変更操作時の振動が撮像装置に伝わることで手ブレ等が発生したり、所望の被写体を見逃してしまうことで、動画撮影を失敗してしまう虞があり、高度な技術を必要とした。
【０００６】
本発明は、上記に鑑みてなされたものであって、動画の撮影中であっても、所望の遷移効果を容易に付加することができる撮像装置、外部装置、撮像システム、撮像方法、操作方法およびプログラムを提供することを目的とする。
【課題を解決するための手段】
【０００７】
上述した課題を解決し、目的を達成するために、本発明に係る撮像装置は、少なくともピント位置を調整するピント調整機能および画角を変更する画角変更機能を有し、被写体を連続的に撮像して動画データを生成する撮像部と、動画撮影前または動画撮影中に、外部から受信した前記撮像部の撮影パラメータにおける時間に沿って変化する切り換えを指示する撮影パラメータ制御情報に基づいて、動画撮影時に前記撮影パラメータを時間に沿って変化する撮影パラメータ切換制御を行いながら前記撮像部に動画撮影を実行させる撮影制御部と、を備えることを特徴とする。
【０００８】
また、本発明に係る外部装置は、少なくともピント位置を調整するピント調整機能および画角を変更する画角変更機能を有し、被写体を連続的に撮像して動画データを生成する撮像装置と双方向に通信する外部装置であって、前記撮像装置の動画撮影前または動画撮影中に、前記撮像装置の撮影パラメータにおける時間に沿って変化する切り換えを指示する撮影パラメータ制御情報を設定する設定部と、前記設定部が設定した前記撮影パラメータ制御情報を前記撮像装置に送信する送信制御部と、を備えることを特徴とする。
【０００９】
また、本発明に係る撮像システムは、少なくともピント位置を調整するピント調整機能および画角を変更する画角変更機能を有し、被写体を連続的に撮像して動画データを生成する撮像部を備える撮像装置と、前記撮像装置と双方向に通信する外部装置と、を備えた撮像システムであって、前記外部装置は、前記撮像装置の動画撮影前または動画撮影中に、前記撮像部の撮影パラメータにおける時間に沿って変化する切り換えを指示する撮影パラメータ制御情報を設定する設定部と、前記設定部が設定した前記撮影パラメータ制御情報を前記撮像装置に送信する送信制御部と、を備え、前記撮像装置は、動画撮影前または動画撮影中に、前記外部装置から受信した前記撮影パラメータ制御情報に基づいて、動画撮影時に前記撮影パラメータを時間に沿って変化する撮影パラメータ切換制御を行いながら前記撮像部に動画撮影を実行させる撮影制御部と、を備えることを特徴とする。
【００１０】
また、本発明に係る撮像方法は、少なくともピント位置を調整するピント調整機能および画角を変更する画角変更機能を有し、被写体を連続的に撮像して動画データを生成する撮像部を備える撮像装置が実行する撮像方法であって、動画撮影前または動画撮影中に、外部から前記撮像部の撮影パラメータにおける時間に沿って変化する切り換えを指示する撮影パラメータ制御情報を受信する受信ステップと、前記受信ステップにおいて受信した前記撮影パラメータ制御情報に基づいて、動画撮影時に前記撮影パラメータを時間に沿って変化する撮影パラメータ切換制御を行いながら前記撮像部に動画撮影を実行させる撮影制御ステップと、を含むことを特徴とする。
【００１１】
また、本発明に係る操作方法は、少なくともピント位置を調整するピント調整機能および画角を変更する画角変更機能を有し、被写体を連続的に撮像して動画データを生成する撮像装置と双方向に通信する外部装置が実行する操作方法であって、前記撮像装置の動画撮影前または動画撮影中に、前記撮像装置の撮影パラメータにおける時間に沿って変化する切り換えを指示する撮影パラメータ制御情報を設定する設定ステップと、前記設定ステップにおいて設定した前記撮影パラメータ制御情報を前記撮像装置に送信する送信制御ステップと、を含むことを特徴とする。
【００１２】
また、本発明に係るプログラムは、少なくともピント位置を調整するピント調整機能および画角を変更する画角変更機能を有し、被写体を連続的に撮像して動画データを生成する撮像部を備える撮像装置に、動画撮影前または動画撮影中に、外部から前記撮像部の撮影パラメータにおける時間に沿って変化する切り換えを指示する撮影パラメータ制御情報を受信する受信ステップと、前記受信ステップにおいて受信した前記撮影パラメータ制御情報に基づいて、動画撮影時に前記撮影パラメータを時間に沿って変化する撮影パラメータ切換制御を行いながら前記撮像部に動画撮影を実行させる撮影制御ステップと、を実行させることを特徴とする。
【００１３】
また、本発明に係るプログラムは、少なくともピント位置を調整するピント調整機能および画角を変更する画角変更機能を有し、被写体を連続的に撮像して動画データを生成する撮像装置と双方向に通信する外部装置に、前記撮像装置の動画撮影前または動画撮影中に、前記撮像装置の撮影パラメータにおける時間に沿って変化する切り換えを指示する撮影パラメータ制御情報を設定する設定ステップと、前記設定ステップにおいて設定した前記撮影パラメータ制御情報を前記撮像装置に送信する送信制御ステップと、を実行させることを特徴とする。
【発明の効果】
【００１４】
本発明によれば、動画の撮影中であっても、所望の遷移効果を得ることができるという効果を奏する。
【図面の簡単な説明】
【００１５】
【図１】図１は、本発明の実施の形態１に係る撮像システムの機能構成を示すブロック図である。
【図２】図２は、本発明の実施の形態１に係る外部装置が実行する処理の概要を示すフローチャートである。
【図３】図３は、本発明の実施の形態１に係る撮像システムを用いて動画撮影を行う際の状況を示す図である。
【図４】図４は、図２の撮影パラメータ制御情報指定処理の概要を示すフローチャートである。
【図５Ａ】図５Ａは、本発明の実施の形態１に係る外部装置が表示する画像の一例を示す図である。
【図５Ｂ】図５Ｂは、本発明の実施の形態１に係る外部装置が表示する画像の一例を示す図である。
【図５Ｃ】図５Ｃは、本発明の実施の形態１に係る外部装置が表示する画像の一例を示す図である。
【図５Ｄ】図５Ｄは、本発明の実施の形態１に係る外部装置が表示する画像の一例を示す図である。
【図５Ｅ】図５Ｅは、本発明の実施の形態１に係る外部装置が表示する画像の一例を示す図である。
【図５Ｆ】図５Ｆは、本発明の実施の形態１に係る外部装置が表示する画像の一例を示す図である。
【図５Ｇ】図５Ｇは、本発明の実施の形態１に係る外部装置が表示する画像の一例を示す図である。
【図６】図６は、本発明の実施の形態１に係る外部装置が設定するピント位置情報および画角情報のいずれか一方と、時間情報とによって決定される変更パターンを模式的に示す図である。
【図７】図７は、本発明の実施の形態１に係る外部装置が表示する画像の一例を示す図である。
【図８】図８は、本発明の実施の形態１に係る撮像装置が実行する処理の概要を示すフローチャートである。
【図９】図９は、図８の動画撮影処理の概要を示すフローチャートである。
【図１０】図１０は、本発明の実施の形態１に係る撮像装置が動画撮影によって得られた動画の一例を示す図である。
【図１１】図１１は、本発明の実施の形態２に係る撮像システムの機能構成を示すブロック図である。
【図１２】図１２は、本発明の実施の形態２に係る外部装置が実行する処理の概要を示すフローチャートである。
【図１３】図１３は、本発明の実施の形態２に係る撮像システムを用いて動画撮影を行う際の状況を示す図である。
【図１４】図１４は、本発明の実施の形態２に係る動画撮影処理の概要を示すフローチャートである。
【図１５】図１５は、本発明の実施の形態２に係る撮像装置が表示する画像の一例を示す図である。
【図１６】図１６は、本発明の実施の形態２に係る撮像装置が動画撮影によって得られた動画の一例を示す図である。
【発明を実施するための形態】
【００１６】
以下、図面を参照して、本発明を実施するための形態（以下、「実施の形態」という）について説明する。なお、以下の実施の形態により本発明が限定されるものではない。さらに、図面の記載において、同一の部分には同一の符号を付して説明する。
【００１７】
（実施の形態１）
〔撮像システムの構成〕
図１は、本発明の実施の形態１に係る撮像システムの機能構成を示すブロック図である。図１に示す撮像システム１００は、被写体を連続的に撮像して被写体の動画データや静止画データを生成する撮像装置１と、撮像装置１から送信された画像データに対応する画像を表示するとともに、撮像装置１に対して各種の操作を指示する外部装置２と、を備える。撮像装置１および外部装置２は、無線または有線によって双方向に通信可能に接続される。
【００１８】
撮像装置１は、連続的に画像データを撮影可能なデジタルスチルカメラ等を用いて構成される。撮像装置１は、デジタルスチルカメラ以外にも、カムコーダ、デジタルビデオカメラ、撮像機能を有する携帯電話やタブレット型端末、監視カメラ、撮影機能を有するＩＣレコーダ、内視鏡およびビデオマイクロスコープ等の顕微鏡を用いて構成してもよい。動画は、撮影中に操作を間違うと、それがそのまま見えてしまったり、記録されてしまったりして、見ているものに不快感を与える。また、動画は、だらだら撮ったものはメリハリがなく、観察、鑑賞時に疲労感が出る。以下に説明する構成にすることによって、安定したフレーミングで、必要に応じた効果や演出を付与する技術を提供できるようになる。
【００１９】
外部装置２は、携帯電話を用いて構成される。外部装置２は、携帯電話以外にも、タブレット型端末、少なくとも表示機能、操作入力機能および記録機能を有する外部レコーダ、表示機能および操作入力機能を有する画像処理装置およびパーソナルコンピュータ等を用いて構成してもよい。
【００２０】
〔撮像装置の詳細な構成〕
次に、上述した撮像装置１の詳細な構成について説明する。
図１に示すように、撮像装置１は、第１撮像部１１と、画像処理部１２と、第１時計部１３と、第１操作部１４と、音声入出力部１５と、第１通信部１６と、第１記録部１７と、第１制御部１８と、を備える。
【００２１】
第１撮像部１１は、第１制御部１８の制御のもと、被写体を撮像し、被写体の静止画データを画像処理部１２へ出力する。また、第１撮像部１１は、第１制御部１８の制御のもと、被写体を連続的に撮像し、被写体の動画データを生成して画像処理部１２へ出力する。第１撮像部１１は、ズームレンズ部１１ａと、フォーカスレンズ部１１ｂと、絞り１１ｃと、シャッタ１１ｄと、撮像素子１１ｅと、駆動部１１ｆと、を有する。
【００２２】
ズームレンズ部１１ａは、一または複数のレンズを用いて構成され、駆動部１１ｆの駆動のもと、光軸Ｌ１上を移動することによって、撮像装置１の画角を変更する。即ち、ズームレンズ部１１ａは、画角変更機能として機能する。
【００２３】
フォーカスレンズ部１１ｂは、一または複数のレンズを用いて構成され、駆動部１１ｆの駆動のもと、光軸Ｌ１上を移動することによって撮像装置１のフォーカス位置を変更する。即ち、フォーカスレンズ部１１ｂは、ピント調整機能として機能する。
【００２４】
絞り１１ｃは、駆動部１１ｆの駆動のもと、ズームレンズ部１１ａおよびフォーカスレンズ部１１ｂを介して集光された光の入射量を制御することによって、撮像装置１の被写体深度の調整や露出の調整を行う。
【００２５】
シャッタ１１ｄは、駆動部１１ｆの駆動のもと、撮像素子１１ｅの状態を露光状態または遮光状態に切り換える。
【００２６】
撮像素子１１ｅは、ＣＣＤ（Charge  Coupled  Device）やＣＭＯＳ（Complementary  Metal  Oxide  Semiconductor）等を用いて構成され、ズームレンズ部１１ａ、フォーカスレンズ部１１ｂおよび絞り１１ｃを介して入射した光学像（被写体像）を受光して光電変換を行うことによって画像データや動画データを生成する。
【００２７】
駆動部１１ｆは、ステッピングモータ、ボイスコイルモータおよびＤＣモータのいずれかを用いて構成され、第１制御部１８のもと、ズームレンズ部１１ａおよびフォーカスレンズ部１１ｂを光軸Ｌ１上で移動させるとともに、絞り１１ｃの絞り値を調整する。
【００２８】
画像処理部１２は、第１制御部１８の制御のもと、第１撮像部１１から入力された画像データまたは動画データに対して、所定の画像処理を行い、第１制御部１８を介して第１記録部１７に記録する。ここで、所定の画像処理とは、ホワイトバランス処理、γ補正、フォーマット変換処理および圧縮処理等を含む基本の画像処理である。なお、画像処理部１２は、画像データに対応する画像に対して、所定の領域を切り出してトリミング画像を生成してもよい（電子ズームとして機能）。
【００２９】
第１時計部１３は、計時機能の他、第１撮像部１１において撮影された画像データや動画データの日時に関する日時情報を生成し、この日時情報を第１制御部１８へ出力する。
【００３０】
第１操作部１４は、ボタンやスイッチ等を用いて構成され、撮像装置１に関する各種の操作の入力を受け付ける。
【００３１】
音声入出力部１５は、音声情報を取得し、取得した音声情報の音声データを生成して第１制御部１８へ出力するとともに、第１制御部１８から入力された音声データを外部へ出力する。音声入出力部１５は、音声データを取得するマイク、マイクが取得した音声データに対してＡ／Ｄ変換を行うＡ／Ｄ変換部、第１制御部１８から入力されたデジタルの音声データに対してＤ／Ａ変換を行うＤ／Ａ変換部、Ｄ／Ａ変換部が変換したアナログの音声データを外部へ出力するスピーカ等を用いて構成される。なお、本実施の形態１では、音声入出力部１５が音声取得部として機能する。
【００３２】
第１通信部１６は、第１制御部１８の制御のもと、所定の無線通信規格に従って、外部装置２や他の機器と双方向に通信を行うことによって、画像データや動画データ等の情報を送信するとともに、外部装置２から送信された撮像装置１の各種動作を指示する指示信号を受信して第１制御部１８へ出力する。ここで、所定の無線通信規格は、ＩＥＥＥ８０２．１１ａ、ＩＥＥＥ８０２．１１ｂ、ＩＥＥＥ８０２．１１ｎ、ＩＥＥＥ８０２．１１ｇ、ＩＥＥＥ８０２．１１ａｃ、Ｂｌｕｅｔｏｏｔｈ（登録商標）および赤外線通信規格等である。なお、本実施の形態１では、いずれの無線通信規格であっても適用可能である。なお、本実施の形態１では、無線通信を用いる場合に説明するが、有線通信で構成する場合、所定の通信規格に基づくインターフェースを用いて構成すればよい。また、第１通信部１６としてまとめて書いてあるが、複数の規格の通信を使い分けられるように、複数それぞれのアンテナ、無線回路を設けてもよい。例えば、第１通信部１６に、少なくとも、ＢｌｕｅｔｏｏｔｈおよびＩＥＥＥ８０２．１１ａｃの各々に対応可能な無線通信機能を設けるようにしてもよい。
【００３３】
第１記録部１７は、ＳＤＲＡＭ（Synchronous  Dynamic  Random  Access  Memory）、Ｆｌａｓｈメモリおよびメモリカード等を用いて構成され、撮像装置１が実行する各種プログラム、画像データ、動画データおよび各種の設定情報を記録する。第１記録部１７は、画像データや動画データを記録する画像データ記録部１７ａと、外部装置２から送信された撮像装置１の動作撮影前または動画撮影中に第１撮像部１１の撮影パラメータを切り換えるための撮影パラメータ制御情報を記録する撮影パラメータ制御情報記録部１７ｂと、撮像装置１が実行する各種プログラムを記録するプログラム記録部１７ｃと、を有する。
【００３４】
第１制御部１８は、撮像装置１を構成する各部を統括的に制御する。第１制御部１８は、例えばＣＰＵ（Central  Processing  Unit）、ＦＰＧＡ（Field  Programmable  Gate  Array）およびＡＳＩＣ（Application  Specific  Integrated  Circuit）等の汎用プロセッサを用いて構成される。
【００３５】
ここで、第１制御部１８の詳細な構成について説明する。第１制御部１８は、撮影制御部１８ａと、記録制御部１８ｂと、判定部１８ｃと、通信制御部１８ｄと、を有する。
【００３６】
撮影制御部１８ａは、第１撮像部１１の撮影を制御する。具体的には、撮影制御部１８ａは、第１通信部１６を介して外部装置２から静止画撮影または動画撮影を指示する指示信号が入力された場合、第１撮像部１１に撮影を実行させる。また、撮影制御部１８ａは、動画撮影前または動画撮影中に、第１通信部１６を介して外部装置２から受信した第１撮像部１１の撮影パラメータにおける時間に沿って変化する切り換えを指示する撮影パラメータ制御情報に基づいて、動画撮影時に第１撮像部１１の撮影パラメータを時間に沿って変化する撮影パラメータ切換制御を行いながら第１撮像部１１に動画撮影を実行させる。例えば、撮影制御部１８ａは、撮影パラメータ制御情報に基づいて、第１撮像部１１のピント位置や画角を切り換えながら動画撮影を行う。また、撮影制御部１８ａは、後述する判定部１８ｃの判定結果または外部装置２からの指示信号に基づいて、撮影パラメータ切換制御を開始する。
【００３７】
記録制御部１８ｂは、第１撮像部１１が生成した静止画データや動画データを所定のフォーマットに従って第１記録部１７に記録する。
【００３８】
判定部１８ｃは、撮影パラメータ制御情報に含まれる開始条件に基づいて、第１撮像部１１が撮影パラメータ切換制御の開始タイミングであるか否かを判定する。判定部１８ｃは、動画データの変化量が閾値を超えた場合、音声データの音量が閾値を超えた場合、および外部装置２から順次送信される外部装置２の姿勢を示す姿勢情報が予め設定された姿勢状態である場合のいずれか１つであるとき、第１撮像部１１が撮影パラメータ切換制御の開始タイミングであると判定する。
【００３９】
通信制御部１８ｄは、第１通信部１６による外部装置２または他の機器との通信を制御する。通信制御部１８ｄは、第１通信部１６を介して、第１撮像部１１が生成した静止画データや動画データを外部へ送信する。
【００４０】
〔外部装置の詳細な構成〕
次に、上述した外部装置２の詳細な構成について説明する。図１に示すように、外部装置２は、第２撮像部２０と、第２通信部２１と、第２時計部２２と、姿勢検出部２３と、第２表示部２４と、第２タッチパネル２５と、第２操作部２６と、第２記録部２７と、第２制御部２８と、を備える。
【００４１】
第２撮像部２０は、第１撮像部１１と同様の機能を有し、第２制御部２８の制御のもと、被写体を撮像して画像データや動画データを生成し、生成した画像データや動画データを第２制御部２８へ出力する。
【００４２】
第２通信部２１は、第２制御部２８の制御のもと、所定の無線通信規格に従って、撮像装置１または外部の機器と双方向に通信を行う。第２通信部２１は、撮像装置１の各種動作を指示する指示信号を送信するとともに、撮像装置１から受信した画像データや動画データを第２制御部２８へ出力する。また、第２通信部２１としてまとめて書いてあるが、複数の規格の通信を使い分けられるように、複数それぞれのアンテナ、無線回路を設けてもよい。例えば単純なコマンドと、画像やファイルなどは別の規格の通信で通信してもよい。撮影用や各種設定用の通信は情報量が少ないので、大容量の画像の送信を邪魔しない通信で行った方が、通信が安定する。もちろん、画像の通信の中で、こうした情報を入れ込んで通信してもよい。
【００４３】
第２時計部２２は、計時機能の他、第２撮像部２０において撮影された画像データや動画データの日時に関する日時情報を生成し、この日時情報を第２制御部２８へ出力する。
【００４４】
姿勢検出部２３は、外部装置２に関する姿勢や手ブレを検出し、検出した検出結果を第２制御部２８へ出力する。姿勢検出部２３は、外部装置２に生じる加速度を検出する加速度センサおよび外部装置２の角度、角速度および角加速度を検出するジャイロセンサ等を用いて構成される。なお、姿勢検出部２３の構成にＧＰＳ等による位置検出センサや方位センサ等を追加することによって外部装置２の位置や撮像方向の方位を含めた姿勢に関する姿勢情報やジェスチャを検出してもよい。
【００４５】
第２表示部２４は、第２制御部２８の制御のもと、第２制御部２８を介して入力された情報や画像データに対応する画像を表示する。第２表示部２４は、液晶や有機ＥＬ（Electro  Luminescence）等を用いて構成される。
【００４６】
第２タッチパネル２５は、第２表示部２４の表示領域に重畳して設けられ、外部からの物体が接触した接触位置（タッチ位置）に応じた信号の入力を受け付け、この信号を第２制御部２８へ出力する。
【００４７】
第２操作部２６は、外部装置２の各種操作に関する信号の入力を受け付け、受け付けた信号を第２制御部２８へ出力する。第２操作部２６は、スイッチやボタン等を用いて構成される。なお、本実施の形態１では、第２タッチパネル２５および第２操作部２６が入力部として機能する。
【００４８】
第２記録部２７は、ＳＤＲＡＭ、Ｆｌａｓｈメモリおよびメモリカード等を用いて構成され、外部装置２が実行する各種プログラム、画像データ、動画データおよび各種の設定情報を記録する。第２記録部２７は、外部装置２が実行する各種プログラムを記録するプログラム記録部２７ａと、を有する。
【００４９】
第２制御部２８は、外部装置２を構成する各部を統括的に制御する。第２制御部２８は、例えばＣＰＵ、ＦＰＧＡおよびＡＳＩＣ等の汎用プロセッサを用いて構成される。
【００５０】
ここで、第２制御部２８の詳細な構成について説明する。第２制御部２８は、設定部２８ａと、送信制御部２８ｂと、第２表示制御部２８ｃと、を有する。
【００５１】
設定部２８ａは、撮像装置１の動画撮影前または動画撮影中に、撮像装置１（第１撮像部１１）の撮影パラメータにおける時間に沿って変化する切り換えを指示する撮影パラメータ制御情報を設定する。具体的には、設定部２８ａは、第２タッチパネル２５または第２操作部２６が受け付けた操作に応じて、撮像装置１が行う撮影パラメータ切換制御の開始から終了までの遷移期間における切り換え前後の撮影パラメータと、撮像装置１の撮影パラメータ切換制御の開始から終了までの遷移期間の時間を指定する時間情報と、撮像装置１の撮影パラメータの時間的な変化を示す変化パターンと、を撮影パラメータ制御情報として設定する。さらに、設定部２８ａは、少なくとも撮影パラメータ切換制御の開始から終了までの遷移期間の開始時および終了時の各々の撮像装置１のピント位置を指定するピント位置情報および撮影パラメータ切換制御の開始から終了までの遷移期間の開始時および終了時の各々の撮像装置１の画角を指定する画角情報のいずれかを、撮影パラメータ制御情報として設定する。
【００５２】
送信制御部２８ｂは、第２通信部２１を介して設定部２８ａが設定した撮影パラメータ制御情報を撮像装置１へ送信する。また、送信制御部２８ｂは、第２通信部２１を介して、第２タッチパネル２５または第２操作部２６が操作を受け付けた各種の情報を撮像装置１へ送信する。例えば、送信制御部２８ｂは、第２通信部２１を介して、第２タッチパネル２５が入力を受け付けた静止画撮影や動画撮影を指示する指示信号を撮像装置１へ送信する。
【００５３】
第２表示制御部２８ｃは、第２表示部２４の表示態様を制御する。具体的には、第２表示制御部２８ｃは、第１通信部１６を介して入力された撮像装置１によって生成された静止画データや動画データを第２表示部２４に表示させる。また、第２表示制御部２８ｃは、外部装置２に関する各種情報および第２撮像部２０が生成した静止画データや動画データを第２表示部２４に表示させる。
【００５４】
〔外部装置の処理〕
次に、外部装置２が実行する処理について説明する。図２は、外部装置２が実行する処理の概要を示すフローチャートである。
【００５５】
図２に示すように、まず、第２表示制御部２８ｃは、第２表示部２４に外部装置２が実行できる複数のモードを一覧表示させる（ステップＳ１０１）。
【００５６】
続いて、第２タッチパネル２５または第２操作部２６を介して撮像装置１と連携する連携モードが選択された場合（ステップＳ１０２：Ｙｅｓ）、外部装置２は、後述するステップＳ１０３へ移行する。これに対して、第２タッチパネル２５または第２操作部２６を介して撮像装置１と連携する連携モードが選択されていない場合（ステップＳ１０２：Ｎｏ）、外部装置２は、後述するステップＳ１２２へ移行する。
【００５７】
ステップＳ１０３において、双方向に通信を行うための各種情報の設定を撮像装置１と設定済みである場合（ステップＳ１０３：Ｙｅｓ）、外部装置２は、後述するステップＳ１０７へ移行する。これに対して、双方向に通信を行うための各種情報の設定を撮像装置１と設定済みでない場合（ステップＳ１０３：Ｎｏ）、外部装置２は、後述するステップＳ１０４へ移行する。
【００５８】
ステップＳ１０４において、第２通信部２１を介して撮像装置１から設定情報を受信した場合（ステップＳ１０４：Ｙｅｓ）、送信制御部２８ｂは、第２通信部２１を介して外部装置２自身に関する設定情報を撮像装置１へ送信し（ステップＳ１０５）、撮像装置１から受信した設定結果を第２記録部２７に記録する（ステップＳ１０６）。ここで、設定情報には、撮像装置１のアドレス情報およびアドレス情報に対応するパスワード等が含まれる。ステップＳ１０６の後、外部装置２は、上述したステップＳ１０３へ戻る。この設定情報と、後で通信する画像とは別の通信規格で通信し、別の回路、アンテナを使い分けても良い。
【００５９】
ステップＳ１０４において、第２通信部２１を介して撮像装置１から設定情報を受信していない場合（ステップＳ１０４：Ｎｏ）、外部装置２は、上述したステップＳ１０３へ戻る。
【００６０】
ステップＳ１０７において、第２制御部２８は、指定する撮像装置１にアクセスする。具体的には、第２記録部２７に記録された設定情報のアドレス情報に対応する撮像装置１に第２通信部２１を介してアクセスする。
【００６１】
続いて、撮像装置１と通信が確立した場合（ステップＳ１０８：Ｙｅｓ）、外部装置２は、後述するステップＳ１１１へ移行する。これに対して、撮像装置１と通信が確立していない場合（ステップＳ１０８：Ｎｏ）、外部装置２は、後述するステップＳ１０９へ移行する。
【００６２】
ステップＳ１０９において、撮像装置１にアクセスしてから所定時間（例えば１２０秒）経過した場合（ステップＳ１０９：Ｙｅｓ）、第２表示制御部２８ｃは、第２表示部２４に警告を表示させる（ステップＳ１１０）。例えば、第２表示制御部２８ｃは、再度、撮像装置１と通信確立できなかったことを示すメッセージを第２表示部２４に表示させる。ステップＳ１１０の後、外部装置２は、後述するステップＳ１１７へ移行する。これに対して、撮像装置１にアクセスしてから所定時間経過していない場合（ステップＳ１０９：Ｎｏ）、外部装置２は、後述するステップＳ１１７へ移行する。
【００６３】
ステップＳ１１１において、第２通信部２１を介して撮像装置１から画像データを受信した場合（ステップＳ１１１：Ｙｅｓ）、第２表示制御部２８ｃは、第２表示部２４に画像データに対応するライブビュー画像を表示させる（ステップＳ１１２）。ステップＳ１１２の後、外部装置２は、後述するステップＳ１１３へ移行する。この画像通信と、前述の設定情報、あるいは、後述の撮影パラメータ通信とは別の通信規格で通信し、別の回路、アンテナを使い分けて、両方の通信が同時に出来るようにしてもよい。
【００６４】
ステップＳ１１１において、第２通信部２１を介して撮像装置１から画像データを受信していない場合（ステップＳ１１１：Ｎｏ）、外部装置２は、後述するステップＳ１１３へ移行する。
【００６５】
ステップＳ１１３において、第２制御部２８は、ユーザによる撮影パラメータ制御操作が行われたか否かを判断する。具体的には、図３に示すように、第２制御部２８は、ユーザＵ１が第２タッチパネル２５を介して外部装置２の第２表示部２４に表示されたライブビュー画像ＬＶ１上の撮影制御アイコンＡ１がタッチされたか否かを判断することによって、撮影パラメータ制御操作が行われたか否かを判断する。
【００６６】
図３では、一例として示したコンサートの撮影のように次々に見せ場が変化して、それに合わせた動画効果での撮影がしたいような状況に明らかなように、目の前で行われていることに即応して、ユーザＵ１が同時進行的に効果付与の操作を行うのは非常に困難で、ストレスから、操作ミスなどが起こりる。このため、ユーザＵ１は、単純なズーム操作だけでも、タイミングや画角など様々な変数を扱わないと、所望の効果での撮影が出来ない。もちろん、これ以外に、あるいはこれに加えて、同時に露出やピントを変えたりする操作もあり得るので、一人のユーザＵ１（撮影者）が撮影と同時に、撮影と同時に行える作業量ではなく、こうした作業の時間的割り振り（先に作業しておくと、後で自動的に操作がなされる）の工夫なくしては、こだわりの動画を得ることは出来ない。ここでは、主に、撮影して記録する用途を想定しているが、記録なしで観察するだけの時にでも、このような工夫によって、自然に無理、無駄なく、次のシーン、対象物、条件での観察設定が出来て、スムーズな観察やチェックが行える。このような工夫をした事によって、試行錯誤が可能となり、最適効果の付与が可能となるが、このような試行錯誤操作は、そのシーンの撮影時と同時に行われるとタイミングが合わなかったり、試行錯誤の様子が撮影されてしまったりするが、これを防止することも目的の一つである。このこだわり操作は、ライブビュー画像ＬＶ１を見ながらでも出来るので、予め決めたシナリオに沿ったものでなくとも、そのシーンを見ながら、それに対応した最適なものにする事が可能となる。
【００６７】
ステップＳ１１３において、第２制御部２８によってユーザＵ１による撮影パラメータ制御操作が行われたと判断された場合（ステップＳ１１３：Ｙｅｓ）、外部装置２は、後述するステップＳ１１４へ移行する。これに対して、第２制御部２８によってユーザＵ１による撮影パラメータ制御操作が行われていないと判断された場合（ステップＳ１１３：Ｎｏ）、外部装置２は、後述するステップＳ１１８へ移行する。
【００６８】
ステップＳ１１４において、外部装置２は、撮像装置１に対して動画撮影前または動画撮影中において第１撮像部１１の撮影パラメータの時間に沿って変化する切り換えを指示す撮影パラメータ制御情報を設定する撮影パラメータ制御情報指定処理を実行する。ステップＳ１１４の後、外部装置２は、後述するステップＳ１１５へ移行する。
【００６９】
〔撮影パラメータ制御情報指定処理〕
図４は、上述した図２のステップＳ１１４において説明した撮影パラメータ制御情報指定処理の概要を示すフローチャートである。このタイミングでは、ライブビュー画像ＬＶ１を見ながら操作出来るので、予め決めたシナリオに沿ったものでなくとも、そのシーンを見ながら、実際の状況に対応した最適なものにする事が可能となる。このように最適効果の付与が可能となるが、このような試行錯誤操作はライブビューの画像ＬＶ１を見ながら行われ、実際にそのシーンになった時の撮影や観察には影響しないというメリットがある。
【００７０】
図４に示すように、まず、第２制御部２８は、第２タッチパネル２５を介して戻るが選択されたか否かを判断する（ステップＳ２０１）。例えば、図５Ａおよび図５Ｂに示すように、第２表示制御部２８ｃは、ユーザが第２タッチパネル２５を介して撮影制御アイコンＡ１をタッチした後（図５Ａを参照）に、ライブビュー画像ＬＶ１上に始点アイコンＡ１１、終点アイコンＡ１２および戻るアイコンＡ１３を重畳して第２表示部２４に表示させる（図５Ｂを参照する）。始点アイコンＡ１１は、撮像装置１の撮影パラメータを時間に沿って変化する撮影パラメータ制御情報を設定するための基準となる始点を設定する指示信号の入力を受け付ける。終点アイコンＡ１２は、撮像装置１の撮影パラメータを時間に沿って変化する撮影パラメータ制御情報を設定するための基準となる終点を設定する指示信号の入力を受け付ける。戻るアイコンＡ１３は、直前のメニュー画面または初期状態に遷移させる指示信号の入力を受け付ける。即ち、第２制御部２８は、第２表示部２４に表示される戻るアイコンＡ１３（図５Ｂを参照）がタッチされたか否かを判断する。第２制御部２８が第２タッチパネル２５を介して戻るが選択されたと判断した場合（ステップＳ２０１：Ｙｅｓ）、外部装置２は、後述するステップＳ２２２へ移行する。これに対して、第２制御部２８が第２タッチパネル２５を介して戻るが選択されていないと判断した場合（ステップＳ２０１：Ｎｏ）、外部装置２は、後述するステップＳ２０２へ移行する。
【００７１】
ステップＳ２０２において、第２制御部２８は、第２タッチパネル２５を介して始点アイコンＡ１１がユーザによってタッチされることで始点設定が選択されたか否かを判断する。第２制御部２８によって始点設定が選択されたと判断された場合（ステップＳ２０２：Ｙｅｓ）、外部装置２は、後述するステップＳ２０３へ移行する。これに対して、第２制御部２８によって始点設定が選択されていないと判断された場合（ステップＳ２０２：Ｎｏ）、外部装置２は、後述するステップＳ２０７へ移行する。
【００７２】
ステップＳ２０３において、設定部２８ａは、第２タッチパネル２５または第２操作部２６を介して操作された内容に応じて、撮像装置１の動画撮影時において第１撮像部１１の撮影パラメータにおける時間に沿って変化する撮影パラメータ制御情報の画角またはピント位置の始点を設定する（ピント位置情報および画角情報）。ステップＳ２０３の後、外部装置２は、後述するステップＳ２０４へ移行する。この場合、図５Ｂおよび図５Ｃに示すように、第２表示制御部２８ｃは、ユーザが第２タッチパネル２５を介して始点アイコンＡ１１をタッチした後（図５Ｂを参照）に、ライブビュー画像ＬＶ１上に、戻るアイコンＡ１３、画角アイコンＡ２１、変更アイコンＡ２２、採用アイコンＡ２３、採用アイコンＡ２３、ＦｏｃｕｓアイコンＡ３１、変更アイコンＡ３２、採用アイコンＡ３３および始点アイコンＡ１１１を重畳して第２表示部２４に表示させる。
【００７３】
変更アイコンＡ２２は、撮像装置１の画角を変更する指示信号の入力を受け付ける。採用アイコンＡ２３は、ユーザによって変更された撮像装置１の画角を採用する指示信号の入力を受け付ける。変更アイコンＡ３２は、撮像装置１のフォーカス位置を変更する指示信号の入力を受け付ける。採用アイコンＡ３３は、撮像装置１のフォーカス位置を採用する指示信号の入力を受け付ける。このような工夫をした事によって、事前に試行錯誤やシミュレーションが可能となり、必要な状況下では最適の効果の付与が可能となる。この効果付与は予め決められているので、構図など、フレーミングに撮影者は専念できる。
【００７４】
図５Ｃに示す状況下において、例えば、設定部２８ａは、ユーザが第２タッチパネル２５を介して被写体Ｐ３にタッチした場合、撮像装置１の現在のピント位置（例えば被写体Ｐ３を含む領域）を第１撮像部１１の撮影パラメータを時間的に切り換えるための基準となるピント位置の始点に設定する（ピント位置情報）。さらに、設定部２８ａは、図５Ｃに示す状況下において、ユーザが第２タッチパネル２５を介して、互いに異なる２点のタッチ位置の距離を拡大または縮小するピンチ操作に応じて、撮像装置１の現在の画角（ライブビュー画像ＬＶ１に対応する画角）を撮像装置１の撮影パラメータを時間的に切り換えるための基準となる画角の始点に設定する（画角情報）。
【００７５】
続いて、第２タッチパネル２５を介して採用アイコンＡ２３または採用アイコンＡ３３がタッチされた場合（ステップＳ２０４：Ｙｅｓ）、設定部２８ａは、第１撮像部１１の撮影パラメータとしての始点パラメータを第２記録部２７に仮記録する（ステップＳ２０５）。具体的には、設定部２８ａは、図５Ｃに示す状況下において、第２タッチパネル２５を介して採用アイコンＡ２３および採用アイコンＡ３３がタッチされた場合、この時点までの操作に応じて設定された撮影パラメータを始点パラメータとして第２記録部２７に仮記録する。ステップＳ２０５の後、外部装置２は、上述したステップＳ２０１へ戻る。
【００７６】
ステップＳ２０４において、第２タッチパネル２５を介して採用アイコンＡ２３または採用アイコンＡ３３がタッチされていない場合（ステップＳ２０４：Ｎｏ）、外部装置２は、ステップＳ２０６へ移行する。
【００７７】
続いて、第２タッチパネル２５を介して戻るアイコンＡ１３がタッチされた場合（ステップＳ２０６：Ｙｅｓ）、外部装置２は、上述したステップＳ２０１へ戻る。これに対して、第２タッチパネル２５を介して戻るアイコンＡ１３がタッチされていない場合（ステップＳ２０６：Ｎｏ）、外部装置２は、上述したステップＳ２０３へ戻る。
【００７８】
ステップＳ２０７において、第２制御部２８は、第２タッチパネル２５を介して終点アイコンＡ１２がユーザによってタッチされることで終点設定が選択されたか否かを判断する。第２制御部２８によって終点設定が選択されたと判断された場合（ステップＳ２０７：Ｙｅｓ）、外部装置２は、後述するステップＳ２０８へ移行する。これに対して、第２制御部２８によって終点設定が選択されていないと判断された場合（ステップＳ２０７：Ｎｏ）、外部装置２は、後述するステップＳ２１２へ移行する。
【００７９】
ステップＳ２０８において、設定部２８ａは、第２タッチパネル２５または第２操作部２６を介して操作された内容に応じて、撮像装置１の動画撮影時において第１撮像部１１の撮影パラメータにおける時間に沿って変化する撮影パラメータ制御情報の画角またはピント位置の終点を設定する。ステップＳ２０８の後、外部装置２は、後述するステップＳ２０９へ移行する。この場合において、図５Ｂおよび図５Ｄに示すように、第２表示制御部２８ｃは、ユーザが第２タッチパネル２５を介して終点アイコンＡ１２をタッチした後（図５Ｂを参照）に、ライブビュー画像ＬＶ１上に、戻るアイコンＡ１３、画角アイコンＡ２１、変更アイコンＡ２２、採用アイコンＡ２３、ＦｏｃｕｓアイコンＡ３１、変更アイコンＡ３２、採用アイコンＡ３３および終点アイコンＡ１１２を重畳して第２表示部２４に表示させる。さらに、第２表示制御部２８ｃは、第２タッチパネル２５を介して変更アイコンＡ２２がタッチされたとき、タッチ操作に応じて撮像装置１の画角を変更することができることを示す画角変更アイコンＡ２１１をライブビュー画像ＬＶ１上に重畳して第２表示部２４に表示させる（図５Ｅを参照）。
【００８０】
図５Ｅに示す状況下において、例えば、設定部２８ａは、ユーザが第２タッチパネル２５を介して、互いに異なる２点のタッチ位置Ｚ１，Ｚ２の距離を拡大または縮小するピンチ操作を行い、被写体Ｐ１および被写体Ｐ２が含まれる領域Ｆ１を選択した場合、この領域Ｆ１が撮像装置１の現在の画角（ライブビュー画像ＬＶ１に対応する画角）である始点から時間的に順次切り換えながら終点の画角となるように撮像装置１の撮影パラメータの画角の終点として設定する（画角情報）。
【００８１】
また、図５Ｆに示すように、第２表示制御部２８ｃは、第２タッチパネル２５を介して変更アイコンＡ３２がタッチされたとき、タッチ操作に応じて撮像装置１のピント位置を変更することができることを示すＦｏｃｕｓ変更アイコンＡ２１２をライブビュー画像ＬＶ１上に重畳して第２表示部２４に表示させる（図５Ｇを参照）。図５Ｇで示す状況下において、例えば、設定部２８ａは、ユーザが第２タッチパネル２５を介して被写体Ｐ１の顔をタッチした場合、被写体Ｐ１の顔を含む領域Ｈ１が撮像装置１の現在のピンチ位置である始点から時間的に順次切り換えながら終点のピント位置となるように撮像装置１の撮影パラメータのピント位置の終点として設定する（ピント位置情報）。
【００８２】
ステップＳ２０９において、第２タッチパネル２５を介して採用アイコンＡ２３または採用アイコンＡ３３がタッチされた場合（ステップＳ２０９：Ｙｅｓ）、設定部２８ａは、撮影パラメータとしての終点パラメータを第２記録部２７に仮記録する（ステップＳ２１０）。ステップＳ２１０の後、外部装置２は、上述したステップＳ２０１へ戻る。
【００８３】
ステップＳ２０９において、第２タッチパネル２５を介して採用アイコンＡ２３または採用アイコンＡ３３がタッチされていない場合（ステップＳ２０９：Ｎｏ）、外部装置２は、ステップＳ２１１へ移行する。
【００８４】
続いて、第２タッチパネル２５を介して戻るアイコンＡ１３がタッチされた場合（ステップＳ２１１：Ｙｅｓ）、外部装置２は、ステップＳ２０１へ戻る。これに対して、第２タッチパネル２５を介して戻るアイコンＡ１３がタッチされていない場合（ステップＳ２１１：Ｎｏ）、外部装置２は、上述したステップＳ２０８へ戻る。
【００８５】
ステップＳ２１２において、第２制御部２８は、第２タッチパネル２５を介して開始条件設定が選択されたか否かを判断する。第２制御部２８によって開始条件設定が選択されたと判断された場合（ステップＳ２１２：Ｙｅｓ）、外部装置２は、後述するステップＳ２１３へ移行する。これに対して、第２制御部２８によって開始条件設定が選択されていないと判断された場合（ステップＳ２１２：Ｎｏ）、外部装置２は、後述するステップＳ２１７へ移行する。
【００８６】
ステップＳ２１３において、設定部２８ａは、第２タッチパネル２５または第２操作部２６を介して操作された内容に応じて、撮像装置１の動画撮影時に第１撮像部１１の撮影パラメータにおける時間に沿って変化する撮影パラメータ制御情報の開始条件を設定する。例えば設定部２８ａは、時間的に連続する画像間で被写体（動画データ）の変化量（動きベクトル）が所定値以上を超えた場合、撮像装置１の動画撮影において時間的に切り換える撮影パラメータの開始とする条件を設定する。もちろん、被写体の変化量以外にも、例えば外部装置２に生じる加速度が所定の閾値以上を超えた場合、また動画撮影時に録音される音声の音声データ（入力値）が所定の閾値以上を超えた場合等を開始条件として設定する。もちろん、単に、第２タッチパネル２５に対してタッチされたことを開始条件として設定してもよいし、第２撮像部２０が画像を撮像したタイミングを開始条件として設定してもよい。ステップＳ２１３の後、外部装置２は、後述するステップＳ２１４へ移行する。
【００８７】
ステップＳ２１４において、第２タッチパネル２５を介して遷移を開始する開始条件を採用する採用アイコンがタッチされた場合（ステップＳ２１４：Ｙｅｓ）、設定部２８ａは、撮影パラメータとしての開始条件を第２記録部２７に仮記録する（ステップＳ２１５）。ステップＳ２１５の後、外部装置２は、上述したステップＳ２０１へ戻る。
【００８８】
ステップＳ２１４において、第２タッチパネル２５を介して遷移を開始する開始条件を採用する採用アイコンがタッチされていない場合（ステップＳ２１４：Ｎｏ）、外部装置２は、ステップＳ２１６へ移行する。
【００８９】
続いて、第２タッチパネル２５を介して戻るアイコンＡ１３がタッチされた場合（ステップＳ２１６：Ｙｅｓ）、外部装置２は、上述したステップＳ２０１へ戻る。これに対して、第２タッチパネル２５を介して戻るアイコンＡ１３がタッチされていない場合（ステップＳ２１６：Ｎｏ）、外部装置２は、上述したステップＳ２１３へ戻る。
【００９０】
ステップＳ２１７において、第２制御部２８は、第２タッチパネル２５を介して遷移時間設定が選択されたか否かを判断する。第２制御部２８によって遷移時間設定が選択されたと判断された場合（ステップＳ２１７：Ｙｅｓ）、外部装置２は、後述するステップＳ２１８へ移行する。これに対して、第２制御部２８によって遷移時間設定が選択されていないと判断された場合（ステップＳ２１７：Ｎｏ）、外部装置２は、ステップＳ２０１へ戻る。
【００９１】
ステップＳ２１８において、設定部２８ａは、第２タッチパネル２５または第２操作部２６を介して操作された内容に応じて、撮像装置１の動画撮影時における撮影パラメータ制御の開始から終了までの遷移期間である始点から終点までの遷移時間を設定する。例えば、設定部２８ａは、第２タッチパネル２５の操作に応じた、始点から終点までの遷移時間を設定する（時間情報）。このとき、第２表示制御部２８ｃは、ユーザが直感的に遷移時間を把握できるように、タイムバーをライブビュー画像ＬＶ１上に重畳して第２表示部２４に表示させてもよいし、単にスクロールすることができる時間をライブビュー画像ＬＶ１上に重畳して第２表示部２４に表示させてもよい。もちろん、設定部２８ａは、第２操作部２６の操作に応じて、遷移時間を設定してもよい。ステップＳ２１８の後、外部装置２は、後述するステップＳ２１９へ移行する。
【００９２】
図６は、ピント位置情報および画角情報のいずれか一方と、時間情報とによって決定される変更パターンを模式的に示す図である。図６においては、上述したステップＳ２０３およびステップＳ２０８において、ピント位置情報、画角情報および時間情報が設定された場合について説明するが、これに限定されることなく、ピント位置情報および画角情報のどちらか一方であっても、時間情報によって変更パターンが決定される。図６において、横軸が開始時間（Ｔｒｔｇ＝０）を示し、図６の（ａ）が焦点距離（画角）の遷移を示し、図６の（ｂ）がピント位置の遷移を示す。さらに、図６において、曲線Ｌ１がズームレンズ部１１ａの焦点距離の遷移を示し、曲線Ｌ２がフォーカスレンズ部１１ｂの焦点位置の遷移を示す。さらに、図６において、画像Ｗ１が撮影パラメータ制御の開示時（始点）の画像を模式的に示し、画像Ｗ２が撮影パラメータ制御の終了時（終点）の画像を模式的に示す。このように、単純なズーム操作だけでも、タイミングや画角など様々な変数を扱わないと、所望の効果での撮影が出来ない。もちろん、これ以外に同時に露出を変えたり、ピント（ピント位置）を変えたりの操作もあり得るので、一人の撮影者がまさにいま起こっている事の撮影と同時に行える作業量ではなく、こうした作業の前倒し、割り振り、分担の工夫なくしては、こだわりの動画を得ることは出来ない。ここでは、主に、撮影して記録する用途を想定しているが、記録なしで観察するだけの時にでも、このような工夫によって、自然に無理、無駄なく、次のシーン、対象物、条件での観察設定が出来て、スムーズな観察やチェックが行える。
【００９３】
設定部２８ａは、第２タッチパネル２５または第２操作部２６を介して操作された内容に応じて、撮像装置１の動画撮影時における撮影パラメータ制御の開始から終了までの遷移期間である始点から終点までの遷移時間を設定する。これにより、図６に示すように、設定部２８ａは、少なくともピント位置情報および画角情報のいずれか一方と、時間情報とによって撮影パラメータの時間的な変化を示す変化パターンを設定することができる。図６の曲線Ｌ１および曲線Ｌ２に示すように、変化パターンは、焦点距離が徐々に大きくなる（画角が小さくなる）ように設定するとともに、ピント位置が無限縁（∞）から手前側に徐々に合うように設定する。即ち、設定部２８ａは、焦点距離とピント位置とが非線形で変化するように変化パターンを設定する。もちろん、設定部２８ａは、焦点距離とピント位置とが線形で変化するように変化パターンを設定してもよい。
【００９４】
ステップＳ２１９において、第２タッチパネル２５を介して遷移時間を採用する採用アイコンがタッチされた場合（ステップＳ２１９：Ｙｅｓ）、設定部２８ａは、撮影パラメータとしての遷移時間を第２記録部２７に仮記録する（ステップＳ２２０）。ステップＳ２２０の後、外部装置２は、上述したステップＳ２０１へ戻る。
【００９５】
ステップＳ２１９において、第２タッチパネル２５を介して遷移時間を採用する採用アイコンがタッチされていない場合（ステップＳ２１９：Ｎｏ）、外部装置２は、ステップＳ２２１へ移行する。
【００９６】
続いて、第２タッチパネル２５を介して戻るアイコンＡ１３がタッチされた場合（ステップＳ２２１：Ｙｅｓ）、外部装置２は、上述したステップＳ２０１へ戻る。これに対して、第２タッチパネル２５を介して戻るアイコンＡ１３がタッチされていない場合（ステップＳ２２１：Ｎｏ）、外部装置２は、上述したステップＳ２１８へ戻る。
【００９７】
ステップＳ２２２において、第２制御部２８は、第２記録部２７に仮記録された撮影パラメータの設定条件が適切であるか否かを判断する。第２制御部２８が第２記録部２７に仮記録された撮影パラメータの設定条件が適切であると判断した場合（ステップＳ２２２：Ｙｅｓ）、外部装置２は、図２のメインルーチンへ戻る。これに対して、第２制御部２８が第２記録部２７に記録された撮影パラメータの設定条件が適切でないと判断した場合（ステップＳ２２２：Ｎｏ）、外部装置２は、ステップＳ２２３へ移行する。
【００９８】
続いて、第２表示制御部２８ｃは、が第２記録部２７に仮記録された撮影パラメータの指定条件が適切でない旨の警告を第２表示部２４に表示させる（ステップＳ２２３）。
【００９９】
その後、第２タッチパネル２５または第２操作部２６を介して撮影パラメータの再設定を行う操作があった場合（ステップＳ２２４：Ｙｅｓ）、外部装置２は、ステップＳ２０１へ戻る。これに対して、第２タッチパネル２５または第２操作部２６を介して撮影パラメータの再設定を行う操作がなかった場合（ステップＳ２２４：Ｎｏ）、外部装置２は、図２のメインルーチンへ戻る。
【０１００】
図２に戻り、ステップＳ１１５以降の説明を続ける。
ステップＳ１１５において、送信制御部２８ｂは、第２通信部２１を介して撮像装置１に撮影パラメータ制御情報を送信する。この場合において、図７に示すように、第２表示制御部２８ｃは、始点アイコンＡ１１１、ユーザが設定した始点に対応する画像Ｗ１、終点アイコンＡ１１２、終点に対応する画像Ｗ２、遷移アイコンＡ３、遷移時間を示す５ｓｅｃＡ４、撮影パラメータの切り換えを開始するトリガＡ５、トリガＡ５の内容を示すＡＵＴＯアイコンＡ６および撮影パラメータを撮像装置１に送信する信号を受け付ける送信アイコンＡ２をライブビュー画像ＬＶ１上に重畳して第２表示部２４に表示させる。このとき、送信制御部２８ｂは、第２タッチパネル２５を介して送信アイコンＡ２がタッチされた場合、図７に示す撮影パラメータ制御情報を、第２通信部２１を介して撮像装置１に送信する。具体的には、送信制御部２８ｂは、撮影パラメータ制御情報として、撮影パラメータ切換制御の開始から終了までの遷移期間における切り換え前後における第１撮像部１１の撮影パラメータと、撮影パラメータ切換制御の開始から終了までの遷移期間の時間を示す遷移時間と、第１撮像部１１の撮影パラメータの時間的な変化を示す変化パターンと、を送信する。より具体的には、送信制御部２８ｂは、撮影パラメータ切換制御の開始から終了までの遷移期間における切り換え前後の撮影パラメータとして、少なくとも遷移期間の開始時および終了時の各々の第１撮像部１１のピント位置を指定するピント位置情報および遷移期間の開始時および終了時の各々の第１撮像部１１の画角を指定する画角情報のいずれか一方を送信する。または、送信制御部２８ｂは、撮影パラメータ切換制御の開始から終了までの遷移期間における切り換え前後の撮影パラメータとして、少なくとも遷移期間の終了時の第１撮像部１１のピント位置を指定するピント位置情報および遷移期間の開始時および終了時の各々の第１撮像部１１の画角を指定する画角情報のいずれか一方を送信する。なお、送信制御部２８ｂは、撮影パラメータ制御情報として、撮像装置１が撮影パラメータ切換制御を開始するための開始条件を送信してもよい。画像通信と、この撮影パラメータ通信とは別の通信規格で通信し、別の回路、アンテナを使い分けて、両方の通信が同時に出来るようにしてもよい。
【０１０１】
その後、第２タッチパネル２５または第２操作部２６を介して撮像装置１の連携モードを終了する指示信号が入力された場合（ステップＳ１１６：Ｙｅｓ）、外部装置２は、後述するステップＳ１１７へ移行する。これに対して、第２タッチパネル２５または第２操作部２６を介して撮像装置１の連携モードを終了する指示信号が入力されていない場合（ステップＳ１１６：Ｎｏ）、外部装置２は、上述したステップＳ１１１へ戻る。
【０１０２】
ステップＳ１１７において、第２タッチパネル２５または第２操作部２６を介して終了する指示信号が入力された場合（ステップＳ１１７：Ｙｅｓ）、外部装置２は、本処理を終了する。これに対して、第２タッチパネル２５または第２操作部２６を介して終了する指示信号が入力されていない場合（ステップＳ１１７：Ｎｏ）、外部装置２は、上述したステップＳ１０１へ戻る。
【０１０３】
ステップＳ１１８において、第２タッチパネル２５または第２操作部２６を介して撮像装置１に静止画撮影または動画撮影を指示する撮影操作があった場合（ステップＳ１１８：Ｙｅｓ）、送信制御部２８ｂは、第２通信部２１を介して撮像装置１に静止画撮影または動画撮影を指示する指示信号を送信する（ステップＳ１１９）。ステップＳ１１９の後、外部装置２は、ステップＳ１１６へ移行する。画像通信と、この撮影指示通信とは別の通信規格で通信し、別の回路、アンテナを使い分けて、両方の通信が同時に出来るようにしてもよい。撮影用や各種設定用の通信は情報量が少ないので、画像の送信を邪魔しない通信で行った方が、通信が安定する。もちろん、画像の通信の中で、こうした情報を入れ込んで通信してもよい。
【０１０４】
ステップＳ１１８において、第２タッチパネル２５または第２操作部２６を介して撮像装置１に静止画撮影または動画撮影を指示する撮影操作がなかった場合（ステップＳ１１８：Ｎｏ）、外部装置２は、後述するステップＳ１２０へ移行する。
【０１０５】
続いて、第２タッチパネル２５または第２操作部２６を介してその他の操作が行われた場合（ステップＳ１２０：Ｙｅｓ）、送信制御部２８ｂは、第２通信部２１を介して操作に応じた情報を撮像装置１へ送信する（ステップＳ１２１）。例えば、送信制御部２８ｂは、第２タッチパネル２５を介して、撮像装置１が撮影する動画データに対してタイムスタンプやｌｏｇを付加する付加信号を指示する指示信号が入力された場合、第２通信部２１を介してタイムスラップやｌｏｇを付加する指示信号を送信する。ステップＳ１２１の後、外部装置２は、ステップＳ１１６へ移行する。画像通信と、この操作情報通信とは別の通信規格で通信し、別の回路、アンテナを使い分けて、両方の通信が同時に出来るようにしてもよい。
【０１０６】
ステップＳ１２２において、外部装置２は、選択されたモードに応じた処理を実行する。例えば外部装置２は、他の機器とのメールの送受信や通話等を行う。ステップＳ１２２の後、外部装置２は、ステップＳ１１７へ移行する。
【０１０７】
〔撮像装置の処理〕
次に、撮像装置１が実行する処理について説明する。図８は、撮像装置１が実行する処理の概要を示すフローチャートである。
【０１０８】
図８に示すように、まず、第１制御部１８は、第１通信部１６を介して通信を判定し（ステップＳ３０１）、第１通信部１６を介して撮像装置１の電源オフ通信があった場合（ステップＳ３０２：Ｙｅｓ）、撮像装置１は、後述するステップＳ３１４へ移行する。これに対して、第１通信部１６を介して撮像装置１の電源オフ通信がなかった場合（ステップＳ３０２：Ｎｏ）、撮像装置１は、後述するステップＳ３０３へ移行する。
【０１０９】
ステップＳ３０３において、双方向に通信を行うための各種情報の設定を外部装置と設定済みである場合（ステップＳ３０３：Ｙｅｓ）、第１制御部１８は、指定する外部装置２と通信を確立し（ステップＳ３０４）、撮像装置１は、後述するステップＳ３０８へ移行する。
【０１１０】
ステップＳ３０３において、双方向に通信を行うための各種情報の設定を外部装置と設定済みでない場合（ステップＳ３０３：Ｎｏ）、第１制御部１８は、第１通信部１６を介して撮像装置１自身に関する設定情報を外部装置２へ送信する（ステップＳ３０５）。
【０１１１】
続いて、第１通信部１６を介して外部装置２から設定情報を受信した場合（ステップＳ３０６：Ｙｅｓ）、第１制御部１８は、外部装置２から受信した設定情報を第１記録部１７に記録する（ステップＳ３０７）。ステップＳ３０７の後、撮像装置１は、上述したステップＳ３０３へ戻る。
【０１１２】
ステップＳ３０６において、第１通信部１６を介して外部装置２から設定情報を受信していない場合（ステップＳ３０６：Ｎｏ）、撮像装置１は、上述したステップＳ３０３へ戻る。
【０１１３】
ステップＳ３０８において、第１制御部１８は、第１撮像部１１に撮像を実行させ、ライブビュー画像を生成させる。
【０１１４】
続いて、第１制御部１８は、第１通信部１６を介して、画像処理部１２から入力されたライブビュー画像を外部装置２へ送信する（ステップＳ３０９）。
【０１１５】
その後、第１操作部１４から動画撮影を指示する指示信号または第１通信部１６を介して外部装置２から動画撮影を指示する指示信号が入力された場合（ステップＳ３１０：Ｙｅｓ）、撮像装置１は、被写体を連続的に撮像し、時間的に沿って連続する複数の画像データで構成される動画データを生成する動画撮影処理を実行する（ステップＳ３１１）。なお、動画撮影処理の詳細は、後述する。ステップＳ３１１の後、撮像装置１は、後述するステップＳ３１２へ移行する。
【０１１６】
続いて、第１操作部１４から撮影を終了する指示信号または第１通信部１６を介して外部装置２から撮影を終了する指示信号が入力された場合（ステップＳ３１２：Ｙｅｓ）、撮像装置１は、本処理を終了する。これに対して、第１操作部１４から撮影を終了する指示信号または第１通信部１６を介して外部装置２から撮影を終了する指示信号が入力されていない場合（ステップＳ３１２：Ｎｏ）、撮像装置１は、上述したステップＳ３０１へ戻る。
【０１１７】
ステップＳ３１０において、第１操作部１４から動画撮像を指示する指示信号または第１通信部１６を介して外部装置２から動画撮影を指示する指示信号が入力されていない場合（ステップＳ３１０：Ｎｏ）、撮像装置１は、静止画撮影を実行する（ステップＳ３１３）。この場合、撮像装置１は、第１通信部１６を介して外部装置２から静止画撮影を指示する指示信号が入力された場合、第１撮像部１１に撮影を実行させて静止画撮影を行う。このとき、撮像装置１は、静止画撮影によって生成した画像データを第１記録部１７に記録する。なお、撮像装置１は、第１通信部１６を介して第１撮像部１１が生成した画像データを外部装置２へ送信してもよい。ステップＳ３１３の後、撮像装置１は、ステップＳ３１２へ移行する。
【０１１８】
ステップＳ３１４において、撮像装置１は、電源をオフにする。ステップＳ３１４の後、撮像装置１は、本処理を終了する。
【０１１９】
〔動画撮影処理〕
次に、図８のステップＳ３１１において説明した動画撮影処理について説明する。図９は、動画撮影処理の概要を示すフローチャートである。
【０１２０】
まず、図９に示すように、第１通信部１６を介して外部装置２から撮影パラメータ制御情報を受信した場合（ステップＳ４０１：Ｙｅｓ）、第１制御部１８は、撮影パラメータ制御情報を第１記録部１７に記録する（ステップＳ４０２）。ステップＳ４０２の後、撮像装置１は、後述するステップＳ４０３へ移行する。これに対して、第１通信部１６を介して外部装置２から撮影パラメータ制御情報を受信していない場合（ステップＳ４０１：Ｎｏ）、撮像装置１は、後述するステップＳ４０３へ移行する。
【０１２１】
続いて、第１通信部１６を介して外部装置２から動画撮影を指示する指示信号が入力された場合（ステップＳ４０３：Ｙｅｓ）、撮像装置１は、動画撮影を開始する（ステップＳ４０４）。具体的には、撮像装置１は、第１撮像部１１が順次生成する画像データを画像データ記録部１７ａに時系列に沿って順次記録する動画撮影を行う。
【０１２２】
その後、第１通信部１６を介して外部装置２から撮影パラメータ制御情報を受信する動画撮影通信を行う場合（ステップＳ４０５：Ｙｅｓ）、撮像装置１は、後述するステップＳ４１３へ移行する。これに対して、第１通信部１６を介して外部装置２から撮影パラメータ制御情報を受信する動画撮影通信を行わない場合（ステップＳ４０５：Ｎｏ）、撮像装置１は、後述するステップＳ４０６へ移行する。
【０１２３】
ステップＳ４０６において、判定部１８ｃは、第１記録部１７に記録された撮影パラメータ制御情報に含まれる開始条件になったか否かを判断する。具体的には、判定部１８ｃは、第１時計部１３からの計時に基づいて、動画撮影を開始してから、撮影パラメータ制御情報に含まれる開始条件である指定時間となったか否かを判断する。なお、判定部１８ｃは、時間以外にも、撮影パラメータ制御情報に含まれる開始条件として、第１撮像部１１が生成した画像データに対応する画像に含まれる被写体の動きベクトル（動画の変化量）が所定の閾値以上になったか否かを判定することによって、開始タイミングであるか否かを判定してもよいし、音声入出力部１５から入力される音声データの音量が所定の閾値以上になったか否かを判定することによって開始タイミングであるか否かを判定してもよい。もちろん、開始条件として、第１撮像部１１が生成して画像データに対応する画像内に開示条件で指定された被写体を検出することができたか否かを判断してもよい。さらに、開始条件として、外部装置２から送信された姿勢情報と予め設定された姿勢情報とが一致しているか否かを判定することによって、開始タイミングであるか否かを判定してもよい。判定部１８ｃが第１記録部１７に記録された撮影パラメータ制御情報に含まれる開始条件になったと判断した場合（ステップＳ４０６：Ｙｅｓ）、撮像装置１は、ステップＳ４０７へ移行する。
【０１２４】
ステップＳ４０７において、撮影制御部１８ａは、撮影パラメータ制御情報に基づいて、第１撮像部１１の撮影制御を開始する。これにより、図１０に示すように、撮像装置１は、ピント位置を切り換えたフォーカス効果および画角を切り換えたズーム効果等の遷移効果を付加した動画（画像Ｉ１→画像Ｉ２→画像Ｉ３）を得ることができる。なお、図１０においては、説明の便宜上、代表的な動画データの各フレームに対応する画像Ｉ１，画像Ｉ２，画像Ｉ３を示したが、各画像間の間には、複数の画像データ（フレーム）が含まれる。なお、本実施の形態１では、ズームレンズ部１１ａによってズーム効果を付加しているが、これに限定されることなく、例えば画像処理部１２によるトリミング処理によってズーム効果（電子ズーム）を付加してもよい。もちろん、ズームレンズ部１１ａによる光学ズームと画像処理部１２による電子ズームとによってズーム効果を付加してもよい。
【０１２５】
続いて、撮影パラメータ制御情報に含まれる始点から終点までの遷移期間が終了した場合（ステップＳ４０８：Ｙｅｓ）、撮影制御部１８ａは、第１撮像部１１の撮影制御を終了する（ステップＳ４０９）。
【０１２６】
その後、撮影制御部１８ａは、第１通信部１６を介して、撮影パラメータ制御が終了したことを示す終了情報を外部装置２へ送信する（ステップＳ４１０）。
【０１２７】
続いて、第１通信部１６を介して外部装置２から動画撮影を終了する指示信号が入力された場合（ステップＳ４１１：Ｙｅｓ）、撮像装置１は、動画撮影を終了する（ステップＳ４１２）。ステップＳ４１２の後、撮像装置１は、図８のメインルーチンへ戻る。
【０１２８】
ステップＳ４０６において、撮影制御部１８ａは、第１記録部１７に記録された撮影パラメータ制御情報に含まれる開始条件になっていないと判断した場合（ステップＳ４０６：Ｎｏ）、撮像装置１は、ステップＳ４１１へ移行する。
【０１２９】
ステップＳ４０８において、撮影パラメータ制御情報に含まれる指定条件が終了していない場合（ステップＳ４０８：Ｎｏ）、指定条件が終了するまで、この判断を繰り返す。
【０１３０】
ステップＳ４１１において、第１通信部１６を介して外部装置２から動画撮影を終了する指示信号が入力されていない場合（ステップＳ４１１：Ｎｏ）、撮像装置１は、上述したステップＳ４０５へ戻る。
【０１３１】
ステップＳ４１３において、第１通信部１６を介して外部装置２から撮像装置１の動画撮影中に、撮影パラメータ制御情報を採用する指示信号が入力された場合（ステップＳ４１３：Ｙｅｓ）、撮影制御部１８ａは、撮影パラメータ制御情報に基づいて、第１撮像部１１の撮影制御を開始する（ステップＳ４１４）。ステップＳ４１４の後、撮像装置１は、ステップＳ４０８へ移行する。
【０１３２】
ステップＳ４１３において、第１通信部１６を介して外部装置２から撮像装置１の動画撮影中に、撮影パラメータ制御情報を採用する指示信号が入力されていない場合（ステップＳ４１３：Ｎｏ）、撮像装置１は、後述するステップＳ４１５へ移行する。
【０１３３】
続いて、第１通信部１６を介して外部装置２から撮影パラメータ制御情報を再設定する指示信号が入力された場合（ステップＳ４１５：Ｙｅｓ）、撮影制御部１８ａは、撮影パラメータ制御情報記録部１７ｂが記録する撮影パラメータ制御情報を、第１通信部１６を介して外部装置２から受信した新たな撮影パラメータ制御情報に変更して記録する（ステップＳ４１６）。ステップＳ４１６の後、撮像装置１は、ステップＳ４１１へ移行する。
【０１３４】
ステップＳ４１５において、第１通信部１６を介して外部装置２から撮影パラメータ制御情報を再設定する指示信号が入力されていない場合（ステップＳ４１５：Ｎｏ）、撮像装置１は、その他の制御を行う（ステップＳ４１７）。例えば、撮像装置１は、第１通信部１６を介して外部装置２から動画データのタイムスタンプを示す情報を受信した場合、タイムスタンプを受信した時刻に対応する動画データの位置にタイムスタンプを付加する。もちろん、撮像装置１は、タイムスタンプ以外にも、例えば、外部装置２からテキストデータが入力された場合、このテキストデータを動画データに付加する。ステップＳ４１７の後、撮像装置１は、ステップＳ４１１へ移行する。
【０１３５】
以上説明した本発明の実施の形態１によれば、撮影制御部１８ａが動画撮影前または動画撮影中に、外部装置２から受信した第１撮像部１１の撮影パラメータにおける時間に沿って変化する切り換えを指示する撮影パラメータ制御情報に基づいて、動画撮影時に第１撮像部１１の撮影パラメータを時間に沿って変化する撮影パラメータ切換制御を行いながら第１撮像部１１に動画撮影を実行させるので、画の撮影中であっても、所望の遷移効果を容易に付加した動画を撮影することができる。
【０１３６】
また、本発明の実施の形態１によれば、撮影制御部１８ａが外部から撮影パラメータ切換制御を指示する指示信号が入力された場合、撮影パラメータ切換制御を開始するので、撮像装置１のユーザは、自身の撮影に集中するだけで、所望の遷移効果を容易に付加した動画を撮影することができる。
【０１３７】
また、本発明の実施の形態１によれば、撮影制御部１８ａが判定部１８ｃによって開始タイミングであると判定された場合、撮影パラメータ切換制御を開始するので、ユーザＵ１が所望する遷移効果を容易に付加した動画を撮影することができる。
【０１３８】
（実施の形態２）
次に、本発明の実施の形態２について説明する。本実施の形態２に係る撮像システムは、上述した実施の形態１に係る撮像システム１００の撮像装置１と構成が異なるうえ、撮像装置が実行する動画撮影処理および外部装置が実行する処理が異なる。以下においては、本実施の形態２に係る撮像システムの構成を説明後、本実施の形態２に係る撮像装置が実行する動画撮影処理および外部装置が実行する処理について説明する。なお、上述した実施の形態１に係る撮像システム１００と同一の構成には同一の符号を付して説明を省略する。
【０１３９】
〔撮像システムの構成〕
図１１は、本発明の実施の形態２に係る撮像システムの機能構成を示すブロック図である。図１１に示す撮像システム１００ａは、上述した実施の形態１に係る撮像システム１００の撮像装置１に換えて、撮像装置１ａを備える。
【０１４０】
〔撮像装置の構成〕
撮像装置１ａは、上述した実施の形態１に係る撮像装置１の構成に加えて、第１制御部１８の制御のもと、第１撮像部１１が生成した画像データに対応する画像、撮像装置１ａに関する各種情報を表示する第１表示部１９をさらに備える。また、撮像装置１ａは、上述した第１制御部１８に換えて、第１制御部１８１を備える。
【０１４１】
第１表示部１９は、液晶または有機ＥＬを用いて構成される。また、第１表示部１９は、撮像装置１ａの背面に設けられる以外にも、例えば電子ビューファインダであってもよい。
【０１４２】
第１制御部１８１は、撮像装置１ａを構成する各部を統括的に制御する。第１制御部１８１は、例えばＣＰＵ、ＦＰＧＡおよびＡＳＩＣ等の汎用プロセッサを用いて構成される。第１制御部１８１は、上述した実施の形態１に係る第１制御部１８の構成に加えて、第１表示制御部１８ｅをさらに備える。
【０１４３】
第１表示制御部１８ｅは、第１表示部１９の表示態様を制御する。具体的には、第１表示制御部１８ｅは、第１通信部１６を介して外部装置２から動画撮影のアドバイス情報が入力された場合、第１表示部１９にアドバイス情報を表示させる。また、第１表示制御部１８ｅは、撮像装置１ａに関する各種情報を第１表示部１９に表示させる。
【０１４４】
〔外部装置の処理〕
次に、外部装置２が実行する処理について説明する。図１２は、外部装置２が実行する処理の概要を示すフローチャートである。図１２において、ステップＳ５０１〜ステップＳ５１９およびステップＳ５２６は、上述した図２のステップＳ１０１〜ステップＳ１１９およびステップＳ１２２それぞれに対応する。
【０１４５】
ステップＳ５２０において、撮像装置１ａの動画撮影の効果を確認する場合（ステップＳ５２０：Ｙｅｓ）、第２制御部２８は、第２撮像部２０に撮像を実行させ（ステップＳ５２１）、第２表示部２４に第２撮像部２０が生成した画像データに対応する画像を表示させる（ステップＳ５２２）。
【０１４６】
続いて、撮像装置１ａの動画撮影に対して、アドバイスを指示する場合（ステップＳ５２３：Ｙｅｓ）、送信制御部２８ｂは、第２通信部２１を介してアドバイス情報を撮像装置１ａへ送信する（ステップＳ５２４）。ステップＳ５２４の後、外部装置２は、ステップＳ５１６へ移行する。具体的には、図１３に示すように、外部装置２のユーザＵ１は、撮像装置１ａのユーザＵ２より遠い位置にいることが多いため、撮像装置１ａのユーザＵ２より客観的な視点で動画撮影の状況を把握することができる。このため、外部装置２のユーザＵ１は、図１３に示すように、外部装置２で撮像し、この撮影によって得られた画像データに対応する画像Ｗ１００を撮像装置１ａに送信することによって、撮像装置１ａのユーザＵ２に対して動画撮影中のアドバイスを行う。即ち、送信制御部２８ｂは、第２通信部２１を介して第２撮像部２０が撮像した画像データをアドバイス情報として撮像装置１ａに送信する。なお、送信制御部２８ｂは、画像データ以外にも、少なくとも第２タッチパネル２５を介して入力された情報、例えば被写体を含む領域を指定する情報、または第２タッチパネル２５や第２操作部２６を介して入力されたテキストデータをアドバイス情報として撮像装置１ａに送信する。図１３に示すコンサート収録の例でも明らかなように、対象物は激しく動き、動画取得（動画撮影）は、刻々と変化する状況に対応した最適効果付与が困難である。一方で動画は、それなりの効果を付与しておかないと後での編集が大変になるし、これを行わないと、見栄えがするものが得られない。本実施の形態２によって、ユーザＵ１（撮影者）はフレーミングに集中でき、ユーザＵ２（補助者）がそれを補う事ができる。また、刻々と変化する状況下でも、ユーザＵ２（補助者）が即応して次の効果付与を連携できるので、その効果はそのシーンにふさわしいものと出来るし、状況に応じた試行錯誤も可能で、撮影画像に悪影響を与えずに最適な効果付与が可能となる。
【０１４７】
ステップＳ５２３において、撮像装置１ａの動画撮影に対して、アドバイスを指示しない場合（ステップＳ５２３：Ｎｏ）、外部装置２は、ステップＳ５１６へ移行する。
【０１４８】
ステップＳ５２０において、撮像装置１ａの動画撮影の効果を確認しない場合（ステップＳ５２０：Ｎｏ）、外部装置２は、その他の操作に応じた処理を行う（ステップＳ５２５）。ステップＳ５２５の後、外部装置２は、ステップＳ５１６へ移行する。
【０１４９】
〔動画撮影処理〕
次に、撮像装置１ａが実行する動画撮影処理について説明する。図１４は、撮像装置１ａが実行する動画撮影処理の概要を示すフローチャートである。ステップＳ６０１〜ステップＳ６１６およびステップＳ６１９は、上述した図８のステップＳ４０１〜ステップＳ４１７それぞれに対応する。
【０１５０】
ステップＳ６１７において、第１制御部１８は、第１通信部１６を介して外部装置２から動画撮影のアドバイス情報を受信したか否かを判断する。第１制御部１８が第１通信部１６を介して外部装置２から動画撮影のアドバイス情報を受信したと判断された場合（ステップＳ６１７：Ｙｅｓ）、撮像装置１ａは、後述するステップＳ６１８へ移行する。これに対して、第１制御部１８は、第１通信部１６を介して外部装置２から動画撮影のアドバイス情報を受信していないと判断された場合（ステップＳ６１７：Ｎｏ）、撮像装置１ａは、後述するステップＳ６１９へ移行する。
【０１５１】
ステップＳ６１８において、第１表示制御部１８ｅは、第１通信部１６を介して外部装置２から受信した動画撮影のアドバイス情報を第１表示部１９に表示させる。ステップＳ６１８の後、撮像装置１ａは、ステップＳ６１１へ移行する。具体的には、図１５に示すように、第１表示制御部１８ｅは、第１通信部１６を介して外部装置２から動画撮影のアドバイス情報に対応するアドバイス画像ＰＰ１を第１表示部１９に表示させる。さらに、外部装置２のユーザから指示された被写体を含む領域Ｆ１０を強調して第１表示部１９に表示させる。この場合、第１表示制御部１８ｅは、第１撮像部１１が順次撮影している動画データに対応するライブビュー画像ＬＶ１とアドバイス画像ＰＰ１とを並列にして第１表示部１９に表示させる。もちろん、第１表示制御部１８ｅは、ライブビュー画像ＬＶ１とアドバイス画像ＰＰ１とを並列に表示する必要がなく、例えばライブビュー画像ＬＶ１上にアドバイス画像ＰＰ１を重畳して第１表示部１９に表示させてもよい。
【０１５２】
さらに、第１表示制御部１８ｅは、アドバイス画像Ｐ１１の全てを第１表示部１９に表示させる必要がなく、例えば外部装置２のユーザＵ１が指定した領域Ｆ１０のみをトリミングしてライブビュー画像ＬＶ１上に重畳して第１表示部１９に表示させてもよい。さらにまた、第１表示制御部１８ｅは、画像以外にも、アドバイス情報に含まれるテキストデータ、例えば「もっと上を撮影して」や、撮影パラメータ制御情報、例えば「露出値を＋２または絞りをＦ８等」をライブビュー画像ＬＶ１上に重畳して第１表示部１９に表示させてもよい。もちろん、アドバイス情報には、露出値、ピント位置、絞り値、ＩＳＯ感度、シャッタースピード、ホワイトバランス、画角、第１撮像部１１の最大画角または最小画角で撮影することができる被写体および撮影モード等が含まれる。これにより、撮像装置１ａのユーザＵ２は、撮影に集中するあまり、動画撮影における撮影可能な領域内において魅力的な被写体に気づかなかったり、動画撮影の撮影パラメータの操作に余裕がない状態であったりしても、外部装置２のユーザＵ１によるアドバイスによって気づくことが出来る。この結果、図１６に示すように、撮像装置１ａは、ユーザＵ２の操作のもと、外部装置２のユーザＵ１のアドバイスに従った動画撮影を行った動画データを得ることができる（画像Ｉ１０→画像Ｉ１１→画像Ｉ１２）。これにより、他の意見を反映した遷移効果を付加することができる。
【０１５３】
以上説明した本発明の実施の形態２によれば、動画の撮影中であっても、その瞬間の撮影に先だって、あるいは分担して所望の遷移効果を付加することができるので、ユーザは遷移効果付与と撮影確認をそれぞれ集中しておこなうことが出来、効果も最適でフレーミングも状況に即応して的確な撮影、あるいは、その画像表示、確認等が可能となる。
【０１５４】
また、本発明の実施の形態２によれば、第１表示制御部１８ｅが外部装置２から動画撮影時のアドバイス情報を受信した場合、アドバイス情報を表示する第１表示部１９に表示させるので、他の意見を反映した遷移効果を付加することができる。
【０１５５】
（その他の実施の形態）
また、本発明に係る撮像装置は、撮影、記録を前提としたデジタルスチルカメラや、デジタルビデオカメラ、撮像機能を有するタブレット型携帯機器等の電子機器以外にも、観察や診察用に撮像した画像による動画を用いる内視鏡や顕微鏡で撮像された医療用、産業用分野の表示装置等にも適用することができる。特に、必ずしも観察者が一人ではなく、多くのメンバーがチームとして画像を確認するような場合には、観察に専念するメンバーと、操作を分担するメンバーが連携して作業を行うことによって失敗なく、効率的な作業が可能となる。一人で撮影する場合でも、フレーミング操作とパラメータ操作を分けて作業が可能となる。上述の撮影の制御まで行わず、観察用の表示を目的とした応用が可能となる。ここでは、画角やピントなどに効果処理を委ねていたが、他にも特殊画像処理や特殊光観察などを制御対象としてもよく、これらを複合的に併用してもよい。本願の工夫をした事によって、こうした様々な状況、シーン、対象物に対応した、最適の画像観察、記録等の試行錯誤が無理なく可能となる。それは、その対象シーンが到来した撮影の瞬間ではなく、その対象シーン（対象物も含め）に先立っての効果の付与制御が可能となる。この操作を試行錯誤できるので、こだわりの効果の撮影が可能で、結果としてユーザの求める最適画像を得ることが出来る。このこだわり操作は、ライブビュー画像、あるいは、その状況下の撮像結果を見ながらでも出来るので、そのシーンに応じたふさわしいものにする事が可能となる。
【０１５６】
また、本発明に係る撮像装置に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１５７】
また、本発明に係る撮像装置に実行させるプログラムは、インターネット等のネットワークに接続されたコンピュータ上に格納し、ネットワーク経由でダウンロードさせることにより提供するように構成してもよい。さらに、本発明に係る撮像装置に実行させるプログラムをインターネット等のネットワーク経由で提供または配布するように構成しても良い。
【０１５８】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。また、こうした、単純な分岐処理からなるプログラムに限らず、より多くの判定項目を総合的に判定して分岐させてもよい。その場合、ユーザにマニュアル操作を促して学習を繰り返すうちに機械学習するような人工知能の技術を併用しても良い。また、多くの専門家が行う操作パターンを学習させて、さらに複雑な条件を入れ込む形で深層学習をさせて実行してもよい。
【０１５９】
このように、本発明は、ここでは記載していない様々な実施の形態を含みうるものであり、請求の範囲によって特定される技術的思想の範囲内で種々の設計変更等を行うことが可能である。
【符号の説明】
【０１６０】
１，１ａ・・・撮像装置；２・・・外部装置；１１・・・第１撮像部；１１ａ・・・ズームレンズ部；１１ｂ・・・フォーカスレンズ部；１１ｃ・・・絞り；１１ｄ・・・シャッタ；１１ｅ・・・撮像素子；１１ｆ・・・駆動部；１２・・・画像処理部；１３・・・第１時計部；１４・・・第１操作部；１５・・・音声入出力部；１６・・・第１通信部；１７・・・第１記録部；１７ａ・・・画像データ記録部；１７ｂ・・・撮影パラメータ制御情報記録部；１７ｃ・・・プログラム記録部；１８，１８１・・・第１制御部；１８ａ・・・撮影制御部；１８ｂ・・・記録制御部；１８ｃ・・・判定部；１８ｄ・・・通信制御部；１８ｅ・・・第１表示制御部；１９・・・第１表示部；２０・・・第２撮像部；２１・・・第２通信部；２２・・・第２時計部；２３・・・姿勢検出部；２４・・・第２表示部；２５・・・第２タッチパネル；２６・・・第２操作部；２７・・・第２記録部；２７ａ・・・プログラム記録部；２８・・・第２制御部；２８ａ・・・設定部；２８ｂ・・・送信制御部；２８ｃ・・・第２表示制御部；１００，１００ａ・・・撮像システム
【図１】
2018152787.tif 000003
【図２】
2018152787.tif 000004
【図３】
2018152787.tif 000005
【図４】
2018152787.tif 000006
【図５Ａ】
2018152787.tif 000007
【図５Ｂ】
2018152787.tif 000008
【図５Ｃ】
2018152787.tif 000009
【図５Ｄ】
2018152787.tif 000010
【図５Ｅ】
2018152787.tif 000011
【図５Ｆ】
2018152787.tif 000012
【図５Ｇ】
2018152787.tif 000013
【図６】
2018152787.tif 000014
【図７】
2018152787.tif 000015
【図８】
2018152787.tif 000016
【図９】
2018152787.tif 000017
【図１０】
2018152787.tif 000018
【図１１】
2018152787.tif 000019
【図１２】
2018152787.tif 000020
【図１３】
2018152787.tif 000021
【図１４】
2018152787.tif 000022
【図１５】
2018152787.tif 000023
【図１６】
2018152787.tif 000024